(57)【要約】      （修正有）【課題】太陽光発電モジュール或いは取付面に従って調整することができて、高い汎用性及び実用性を有する太陽光発電モジュール用の取付装置を提供する。【解決手段】取付装置００１は、調整機構１００と、太陽光発電モジュールが取り付けられる２つの支持梁２００とを含んでいる。調整機構１００は、２つの支持梁２００間の間隔及び／又は角度を調整するように、２つの支持梁２００の夫々と接続される。２つの支持梁２００間の間隔及び／又は角度は、様々な形状及び様々な大きさを備えた太陽光発電モジュールに合うように、或いは、様々な設置環境に合うように、設置状況に応じて調整することができる。取付装置００１は、工場において製作及び組み立てが可能であり、太陽光発電モジュールを設置するために設置現場へ輸送される。取付装置００１を用いた太陽光発電モジュールの設置工程は、単純で迅速であり、簡単な調整のみが必要で高水準の調整は回避される。【選択図】図１
2019193553.tif 000002
【特許請求の範囲】
【請求項１】
太陽光発電モジュール用の取付装置であって、
調整機構と、
前記太陽光発電モジュールが取り付けられる２つの支持梁と、を含み、
前記調整機構は、前記２つの支持梁間の間隔及び／又は角度を調整するように、前記２つの支持梁の夫々に接続されていることを特徴とする取付装置。
【請求項２】
前記調整機構は、少なくとも１つの第１の調整ロッドを含み、
該少なくとも１つの第１の調整ロッドの各々の２つの端部は、夫々、移動可能に前記２つの支持梁へ接続され、
前記少なくとも１つの第１の調整ロッドの各々の、前記２つの支持梁の各々に対する角度が、調整可能になっていることを特徴とする請求項１記載の取付装置。
【請求項３】
前記調整機構は、互いに交差すると共に互いに回転可能に接続された、２つの第１の調整ロッドを含み、
該２つの第１の調整ロッドの各々の２つの端部は、夫々、スライド可能に前記２つの支持梁へ配置され、
前記２つの第１の調整ロッドの各々の、前記２つの支持梁の各々に対する角度が、プリセット値に達したとき、前記２つの第１の調整ロッドの各々の２つの端部が、夫々、前記２つの支持梁に固定可能になることを特徴とする請求項２記載の取付装置。
【請求項４】
前記調整機構は、１つの第１の調整ロッドを含み、
該１つの第１の調整ロッドの２つの端部は、夫々、スライド可能に前記２つの支持梁へ配置され、
前記１つの第１の調整ロッドの、前記２つの支持梁の各々に対する角度が、プリセット値に達したとき、前記１つの第１の調整ロッドの２つの端部が、夫々、前記２つの支持梁に固定可能になることを特徴とする請求項２記載の取付装置。
【請求項５】
前記２つの支持梁は、夫々、対応する支持梁の長手方向に沿って延びたスライドレールを備え、該スライドレールの内部に第１のスライドブロックが配置され、
前記少なくとも１つの第１の調整ロッドの各々の２つの端部は、夫々、回転可能に１つのスライドブロックに接続され、前記少なくとも１つの第１の調整ロッドの各々の、前記２つの支持梁の各々に対する角度が、プリセット値に達したとき、前記少なくとも１つの第１の調整ロッドの各々の２つの端部が、夫々、対応する前記第１のスライドブロックに固定可能になることを特徴とする請求項２から４のいずれか１項記載の取付装置。
【請求項６】
前記調整機構は、第２の調整ロッドを含み、該第２の調整ロッドの２つの端部が、夫々、移動可能に前記２つの支持梁に接続され、前記第２の調整ロッドの長さが、調整可能になっていることを特徴とする請求項１から５のいずれか１項記載の取付装置。
【請求項７】
前記第２の調整ロッドは、固定スリーブと可動ロッドとを含み、前記固定スリーブの第１の端部が、前記２つの支持梁のうちの一方に回転可能に接続され、前記固定スリーブの第２の端部が、前記可動ロッドの第１の端部に被せられ、前記可動ロッドの第２の端部が、前記２つの支持梁のうちの他方に回転可能に接続され、
前記２つの支持梁間の角度がプリセット値に達したとき、前記固定スリーブと前記可動ロッドとが、前記２つの支持梁に固定され、
前記可動ロッドが前記固定スリーブからプリセットされた長さに延びたとき、前記可動ロッドが前記固定スリーブに固定可能になることを特徴とする請求項６記載の取付装置。
【請求項８】
前記２つの支持梁は、夫々、対応する支持梁の長手方向に沿って延びたスライド溝を備え、該２つのスライド溝の２つの開口部は、太陽光発電モジュールが取り付けられように、互いに対向していることを特徴とする請求項１から７のいずれか１項記載の取付装置。
【請求項９】
前記スライド溝は、対応する支持梁の２つの端面を貫いて延ばされ、各支持梁の２つの端部には、夫々、対応するスライド溝における前記太陽光発電モジュールの位置を制限するための、制限構造を備えていることを特徴とする請求項８記載の取付装置。
【請求項１０】
前記制限構造は、制限ヘッドと固定ボルトとを含み、前記制限ヘッドが、前記スライド溝の内部へ挿入され、前記固定ボルトが、前記スライド溝の溝底部を貫通して前記制限ヘッドに固定されることを特徴とする請求項９記載の取付装置。
【請求項１１】
前記２つの支持梁は、夫々、取付構造を備え、該取付構造は、移動可能に対応する支持梁へ接続されると共に、取付面に接続されるように形成されていることを特徴とする請求項１から１０のいずれか１項記載の取付装置。
【請求項１２】
前記取付構造は、スライド可能に対応する支持梁へ配置されることを特徴とする請求項１１記載の取付装置。
【請求項１３】
前記２つの支持梁は、夫々、対応する支持梁の長手方向に沿って延びた取付溝を備え、該取付溝の内部に、第２のスライドブロックがスライド可能に配置され、
前記取付構造が、前記第２のスライドブロックに接続される接続部を有することを特徴とする請求項１２記載の取付装置。
【請求項１４】
前記取付構造が取付具を含み、該取付具と協働するようにチャックが前記取付面に配置されることを特徴とする請求項１１から１３のいずれか１項記載の取付装置。
【請求項１５】
太陽光発電モジュールと、請求項１から１４のいずれか１項記載の取付装置とを含むことを特徴とする太陽光発電モジュールアセンブリ。
【発明の詳細な説明】
【技術分野】
【０００１】
本出願は、「太陽光発電モジュール用の取付装置及び太陽光発電モジュールアセンブリ」という名称で、２０１８年４月２３日に提出された、中国特許出願第２０１８１０３６６４７９．９号と、「太陽光発電モジュール用の取付装置及び太陽光発電モジュールアセンブリ」という名称で、２０１８年８月２０日に提出された、国際特許出願ＰＣＴ／ＣＮ２０１８／１０１３４８号との、優先権の利益を主張するものであり、それらの内容が参照によって本明細書に組み込まれる。
【０００２】
本発明は、太陽光発電応用の技術分野に関し、より詳しくは、太陽光発電モジュール用の取付装置及び太陽光発電モジュールアセンブリに関する。
【背景技術】
【０００３】
従来の太陽光発電モジュール用の取付装置では、フレームが主に鋼材料及びアルミニウム材料から作られ、太陽光発電モジュールを設置するための構造が、通常、様々な接続部品及びネジによって組み立てられる。太陽光発電モジュールが設置される環境状態に従い、太陽光発電モジュールの様々な支持構造の構成要素が、設計者により設計され、工場で製造され、現地へ輸送され、そして現地で組み立てられる。太陽光発電モジュールは、職人によって支持構造を調整した後に、現地で組み立てられた支持構造に取り付けられる。
【発明の概要】
【発明が解決しようとする課題】
【０００４】
例えば、太陽光発電モジュールを着色された鋼板屋根へ設置する場合、設置環境に従って設計された支持構造の構成要素は、設置の現場へ別々に輸送され、太陽光発電モジュールを設置するために現地で支持構造が組み立てられる。このため、太陽光発電モジュールの設置に長い時間を要し、設置作業が複雑になっている。加えて、組み立てられた支持構造は、太陽光発電モジュールの設置要件を満たすように調整される必要があり、これには高いスキルを有する設置作業者が要求される。更に、設置は着色された鋼板屋根上で終わり、支持構造の構成要素の数量及び重量が大きいため、着色された鋼板屋根の荷重負荷要件を満たすように、設置設備の総重量を抑えることは困難である。
【０００５】
これを基に、従来の取付装置を使用した太陽光発電モジュールの設置が長い時間を要し、作業者に高い技術を要求するという問題に取り組み、太陽光発電モジュールの設置効率及び設置の利便性を大幅に改善し、高い広汎性を備えた取付装置を提供する必要がある。更に、そのような取付装置を含む太陽光発電モジュールアセンブリをも提供する。
【課題を解決するための手段】
【０００６】
ある実施形態において、本開示は、太陽光発電モジュール用の取付装置を提供する。この取付装置は、調整機構と、太陽光発電モジュールが取り付けられる２つの支持梁とを含み、調整機構は、２つの支持梁間の間隔及び／又は角度を調整するように、２つの支持梁の夫々に接続される。
【０００７】
別の実施形態において、本開示は、太陽光発電モジュールアセンブリを提供する。この太陽光発電モジュールアセンブリは、太陽光発電モジュールと、太陽光発電モジュール用の取付装置とを含み、取付装置は、調整機構と、太陽光発電モジュールが取り付けられる２つの支持梁とを含み、調整機構は、２つの支持梁間の間隔及び／又は角度を調整するように、２つの支持梁の夫々に接続される。
【０００８】
他の実施形態において、本開示は、太陽光発電モジュールアセンブリを提供する。この太陽光発電モジュールアセンブリは、複数の太陽光発電モジュールと、整列配置された複数の取付装置とを含み、複数の取付装置は、複数の調整機構と、太陽光発電モジュールが取り付けられる複数の支持梁とを含み、２つの隣接する支持梁の各々は、少なくとも１つの調整機構により接続され、少なくとも１つの調整機構は、２つの隣接する支持梁間の間隔及び／又は角度を調整するように形成され、複数の太陽光発電モジュールの各々は、２つの隣接する支持梁毎にそれらの間に取り付けられる。
【０００９】
本開示の太陽光発電モジュール用の取付装置は、太陽光発電モジュールが取り付けられる２つの支持梁と、２つの支持梁間の間隔及び／又は角度を調整する調整機構とを含み、これによって、様々な形状及び様々な大きさを備えた太陽光発電モジュールに合うように、或いは、様々な設置環境に合うように、設置状況に応じて、２つの支持梁間の間隔及び／又は角度を調整することができる。取付装置は、共通の設計に従って工場で製作及び組み立てることができ、太陽光発電モジュールの設置のために設置現場へ輸送することができる。この取付装置を使用した太陽光発電モジュールの設置工程は、シンプルかつ迅速であり、その間には簡単な調整のみが必要であり、高水準の調整が回避される。加えて、取付装置は、単純な構成を有し、設置状況に応じて調整することができ、これによって、高い広汎性及び実用性を有する。取付装置が軽量材料で作られる場合、取付装置は、在来型の屋根にのみではなく、高い荷重負荷要件を備えた軽量鋼製の傾斜屋根に、太陽光発電モジュールの設置にも適合することができる。
【００１０】
本開示の実施形態の技術的解決手段、或いは、先行技術における技術的解決手段を、より明確に説明するために、実施形態や従来技術の説明に必要な添付の図面が、簡潔に説明される。明らかに、以下の説明内の添付図面は、本開示の幾つかの実施形態のみを示しており、当業界で通常の知識を有する者は、創意工夫なしで、添付の図面から別の図面を更に導き出すことができる。
【図面の簡単な説明】
【００１１】
【図１】太陽光発電モジュール用の取付装置の一実施形態の構造概略図である。
【図２】太陽光発電モジュール用の取付装置の他の実施形態の構造概略図である。
【図３】太陽光発電モジュール用の取付装置のもう１つの実施形態の構造概略図である。
【図４】太陽光発電モジュール用の取付装置の更なる１つの実施形態の構造概略図である。
【図５】図１のＡ−Ａ線に沿った取付装置の断面図である。
【図６】太陽光発電モジュール用の取付装置の一実施形態の適用概略図である。
【図７】図６のＢ−Ｂ線に沿った取付装置の断面図である。
【図８】太陽光発電モジュールアセンブリの一実施形態の構造概略図である。
【発明を実施するための形態】
【００１２】
ここで、本開示の実施形態の技術的解決手段をより明確に説明するために、本開示の特定の実施形態について、添付の図面を参照して詳細に説明する。明白に、説明される実施形態は一部に過ぎず、本開示の実施形態の全てではない。当業者により創作業務なしで、本開示の実施形態に基づいて得られる他の実施形態は、本開示の保護範囲に置かれるものである。
【００１３】
本開示の太陽光発電モジュール３００用の取付装置００１は、設置される太陽光発電モジュール３００或いは取付面４００に従って調整することができ、これによって高い汎用性及び実用性を有する。取付面４００は、屋根の面、壁面、タイル構造の面といった、太陽光発電モジュール３００が設置されることとなる面であってよい。太陽光発電モジュール３００及び取付面４００の構造概要図を、図５及び図６で参照することができる。取付装置００１は、製作工程において組み立てられ、取付装置００１の現地組み立てを回避し、これによって、太陽光発電モジュール３００の設置効率を大幅に向上させると共に、設置の技術的要求を少なくすることができる。
【００１４】
図１を参照すると、取付装置００１は、調整機構１００と２つの支持梁２００とを含む。２つの支持梁２００の構造は、同一であってよい。２つの支持梁２００は、取付装置００１の異なる位置に配置することができる。又、２つの支持梁２００は、太陽光発電モジュール３００を取り付ける。調整機構１００は、２つの支持梁２００の各々に接続され、２つの支持梁２００間の間隔及び／又は角度を調整する。
【００１５】
２つの支持梁２００は、太陽光発電モジュール３００を取り付け、同時に、取付面４００へ固定される。すなわち、２つの支持梁２００を介して、太陽光発電モジュール３００を取付面４００に固定することができる。２つの支持梁２００は、調整機構１００の調整機能により、互いに平行に間隔を空けて設けられる。２つの支持梁２００は、矩形の大きさが異なる太陽光発電モジュール３００を取り付ける（図１及び図６参照）。２つの支持梁２００は、調整機構１００の調整機能により、互いに角度をもって間隔を置いて設けられる。２つの支持梁２００は、台形や三角形の大きさが異なる太陽光発電モジュール３００を取り付けることができる（図２参照）。
【００１６】
図５〜図７に示す図は、図１に示される２つの支持梁２００が互いに平行に間隔を空けて設けられた例であり、本開示の取付装置００１を具体的に説明する。
【００１７】
太陽光発電モジュール３００は、様々な方法によって２つの支持梁２００に取り付けることができる。図５を参照すると、ある実施形態において、２つの支持梁２００の各々は、対応する支持梁２００の長手方向に沿って延びたスライド溝２１０を備えることができる。その内、２つの支持梁２００の、２つのスライド溝２１０の開口部は、太陽光発電モジュール３００を取り付けるように、互いに対向している。この実施形態において、太陽光発電モジュール３００は、スライド溝２１０に滑り込まされることによって、２つの支持梁２００に取り付けられる。太陽光発電モジュール３００の設置方法は、簡単で接触が確実であり、太陽光発電モジュール３００の、取り付け及び取り外し、メンテナンスが便利である。他の実施形態では、太陽光発電モジュール３００を、２つの支持梁２００に接着させることによって、太陽光発電モジュール３００の設置を実現する。
【００１８】
太陽光発電モジュール３００は、２つのスライド溝２１０を介して２つの支持梁２００に取り付けられるとき、スライド溝２１０と協働して取り付けられ使用される太陽光発電モジュール３００の縁に、取付保護縁を設けることによって、太陽光発電モジュール３００を保護すると共に、太陽光発電モジュール３００の取り付けがより確実になる。
【００１９】
図６及び図７を参照すると、スライド溝２１０の各々は、対応する支持梁２００の２つの端面を貫いて延びる。本実施形態において、対応する支持梁２００の２つの端面を貫いてスライド溝２１０が延びていることにより、太陽光発電モジュール３００は、支持梁２００の２つの端部の何れか一方から、スライド溝２１０に滑り込まれて固定され、これによって取り付けが、より柔軟及びより便利になる。
【００２０】
支持梁２００の各々の２つの端部は、夫々、スライド溝２１０内での太陽光発電モジュール３００の位置を制限する、制限構造２２０を備えている。このように、２つの支持梁２００に取り付けられた後に、太陽光発電モジュール３００は、支持梁２００の２つの端部の何れか１つの端が、スライド溝２１０から離脱することを防止する。制限構造２２０は、様々な構成を有することができる。図７を参照すると、ある実施形態において、制限構造２２０は、制限ヘッド２２１と固定ボルト２２２とを含んでいる。制限ヘッド２２１は、スライド溝２１０の内部へ挿入される。固定ボルト２２２は、スライド溝２１０の溝底部及び制限ヘッド２２１を貫通することで、制限ヘッド２２１をスライド溝２１０の溝底部に固定することができる。制限ヘッド２２１は、ゴム材料で作ることができる。各支持梁２００の各端部のスライド溝２１０の内部へ制限ヘッド２２１を挿入し、かつ、固定ボルト２２２を介して制限ヘッド２２１をスライド溝２１０へ固定することにより、太陽光発電モジュール３００がスライド溝２１０から滑り出ないように、スライド溝２１０内での太陽光発電モジュール３００の位置を制限することができ、よって設置の安定性が向上される。他の実施形態において、制限構造２２０はバッフルであってもよく、バッフルを固定するための溝を、スライド溝２１０の内壁に設けることができる。バッフルは、スライド溝２１０内での太陽光発電モジュール３００の位置を制限するように、各支持梁２００の各端部に配置することができる。
【００２１】
支持梁２００は、様々な方法で取付面４００に設置固定することができる。図１及び図５を参照すると、ある実施形態では、支持梁２００の各々に取付構造５００を配置してもよい。取付構造５００は、移動可能に支持梁２００へ接続される。取付構造５００は、取付面４００へ接続される。
【００２２】
取付構造５００を移動可能に支持梁２００へ接続してもよいことは、取付構造５００を支持梁２００の長手方向に沿ってスライド可能に支持梁２００へ接続してもよいこと、又は、取付構造５００を回転可能に支持梁２００へ接続してもよいこと、或いは、取付構造５００をスライド可能かつ回転可能に支持梁２００へ接続してもよいことを示している。なお、移動可能な接続は、取付構造５００が、スライド可能又は回転可能に支持梁２００へ接続され、スライド移動又は回転可能に取り付け位置に取り付けられたとき、取付構造５００が支持梁２００へ固定できることを指す。このように、２つの支持梁２００は、太陽光発電モジュール３００の大きさに合わせて間隔が調整され配置された後に、取付面４００への固定設置が適合するように、支持梁２００における取付構造５００の位置を調整する。
【００２３】
取付構造５００は、様々な構成を有することができる。ある実施形態では、取付構造５００は取付具５１０を含む。取付具５１０と協働するように、取付面４００にはチャック４１０が設置される。取付具５１０を用いてチャック４１０を挟み込むことにより、支持梁２００を取付面４００へ固定設置することができる。取付具５１０を用いてチャック４１０を挟み込んで取り付ける方法は、取付面４００の構造に応じてチャック４１０の種類を変えることができ、相応する取付具５１０の種類も変えることができる。これにより、太陽光発電モジュール取付装置００１の設置が、より柔軟で、適用性が高くなる。
【００２４】
ある実施形態において、取付構造５００がスライド可能に支持梁２００に配置される構成に関連して、支持梁２００の各々は、各支持梁２００の長手方向に沿って延びた取付溝２３０を備えていてもよい。取付溝２３０の内部には、第２のスライドブロック２３１をスライド可能に配置できる。これに応じて、取付構造５００は接続部５２０を有する。このような状況下で、接続部５２０を第２のスライドブロック２３１へ接続することにより、取付構造５００をスライド可能に支持梁２００へ接続できる。
【００２５】
ある実施形態において、取付構造５００は、取付具５１０と接続部５２０とを含んでいる。取付具５１０は、接続部５２０へ接続できる。取付具５１０は、チャック４１０に係合するクランプ部４１０を有する。取付構造５００は、取付溝２３０内へスライド可能に配置することができる。第２のスライドブロック２３１は、取付溝２３０内へスライド可能に配置することができる。ある実施形態では、第２のスライドブロック２３１は、ナットを使用して接続部５２０へ接続可能なＴ形ボルトであってもよい。より具体的には、Ｔ形ボルトを通すことができるネジ穴を、接続部５２０へ設けてもよい。Ｔ形ボルトは、取付溝２３０内へスライド可能に配置することができる。取付具５１０は、現場の設置状態に応じて取付具５１０の位置を調整するように、支持梁２００上でスライド移動することができる。加えて、ナットにより接続部５２０をＴ形ボルトで固定接続する前に、接続部５２０を有する取付具５１０は自由に回転することができ、これによって、支持梁２００及び取付面４００の取り付けをより柔軟に調整できるようになり、このことは、支持梁２００を異なる取付面４００への取り付けを便利にする。本実施形態において、取付装置００１は、単純な構造、便利な動作、そして高い使用信頼度を有する。加えて、如何なる専用の付属品を用いず、一般的なボルト及びナットを使用して、設置を実現することができる。
【００２６】
別の実施形態では、支持梁２００の長手方向に沿って、支持梁２００に取付レールを配置し、取付構造５００には取付レールに係合するスライドスリーブを配置してもよい。スライドスリーブは、取付レールに被せられて取付レールに沿ってスライド移動する。これによって、取付構造５００を支持梁２００へスライド可能に接続され設けることができる。
【００２７】
ある実施形態において、太陽光発電モジュール３００は、取付装置００１へ取り付ける前、又は取付面４００に設置する前に、調整機構１００を介して、２つの支持梁２００間の間隔及び／又は角度を調整することによって取り付けてもよい。
【００２８】
調整機構１００は様々な構成を有する。図１及び図５を参照すると、ある実施形態において、調整機構１００は、第１の調整ロッド１１０を含む。第１の調整ロッド１１０の２つの端部は、夫々、２つの支持梁２００へ移動可能に接続され、支持梁２００の各々に対する第１の調整ロッド１１０の角度は、調整することができる。
【００２９】
移動可能な接続は、第１の調整ロッド１１０の各端部が、対応する支持梁２００の長手方向に沿ってスライド移動できると共に、支持梁２００に対して回転可能であることを指す。更に、移動可能な接続は、第１の調整ロッド１１０の２つの端部が、支持梁２００に沿ってスライド移動、及び対応する支持梁２００の所定位置に回転移動したときに、第１の調整ロッド１１０の２つの端部は、２つの支持梁２００へ固定できることを指す。具体的に、第１の調整ロッド１１０の２つの端部は対応する所定位置に達したとき、すなわち、支持梁２００の各々に対する第１の調整ロッド１１０の角度がプリセット値に達したときに、２つの支持梁２００に対する第１の調整ロッド１１０の位置を、結合構造によって固定することができる。本実施形態において、各端部の所定位置は、太陽光発電モジュール３００及び取付面４００の具多的な状況に合わせて設定することができる。
【００３０】
本実施形態では、第１の調整ロッド１１０の２つの端部と、２つの支持梁２００との相対位置を調整することによって、支持梁２００の各々に対する第１の調整ロッド１１０の傾斜角度を調整することができ、これによって、２つの支持梁２００間の間隔及び／又は角度を調整することができる。
【００３１】
第１の調整ロッド１１０の数量は、１つであってもよい。具体的に、１つの第１の調整ロッド１１０の２つの端部が、夫々、２つの支持梁２００にスライド可能に配置される。１つの第１の調整ロッド１１０の、支持梁２００の各々に対する角度が、プリセット値に達したときに、１つの第１の調整ロッド１１０の２つの端部の各々は、２つの支持梁２００へ固定することができる。ある実施形態では、１つの第１の調整ロッド１１０の各端部が、対応する支持梁２００と４５°の角度を成すように移動されたときに、結合構造を介して、１つの第１の調整ロッド１１０の位置を、２つの支持梁２００に固定することができる。１つの第１の調整ロッド１１０の２つの端部は、夫々、２つの支持梁２００へスライド可能に配置され、更に、１つの第１の調整ロッド１１０の２つの端部は、夫々、２つの支持梁２００の異なる高さの位置へ移動することができる。これによって、１つの第１の調整ロッド１１０は、２つの支持梁２００と異なる角度を成すことができる。２つの支持梁２００に対する１つの第１の調整ロッド１１０の傾斜角度が大きくなるにつれて、２つの支持梁２００の間の間隔が広くなる。１つの第１の調整ロッド１１０が、２つの支持梁２００に対して直交するとき、２つの支持梁の間の間隔が最大になる。第１の調整ロッド１１０の数量が２つであってもよく、２つの第１の調整ロッド１１０は、互いに平行、対称的、或いは交差するように設けられてもよい。更に、調整機構１００は、３つ以上の第１の調整ロッド１１０を含んでいてもよい。
【００３２】
ある実施形態において、調整機構１００は、互いに交差して回転可能に接続された、２つの第１の調整ロッド１１０を含む。２つの第１の調整ロッド１１０の各々の２つの端部は、夫々、２つの支持梁２００にスライド可能に配置することができる。２つの第１の調整ロッド１１０の各々の、２つの支持梁２００の各々に対する角度が、プリセット値に達したときに、２つの第１の調整ロッド１１０の各々の２つの端部は、夫々、２つの支持梁２００へ固定することができる。本実施形態において、２つの第１の調整ロッド１１０は、２つの支持梁２００の間で、２つの安定した三角形の幾何学的構造を形成することによって、取付装置００１の構造をより安定化する。
【００３３】
支持梁２００の各々は、各支持梁２００の長手方向に沿って延びた、スライドレール２４０を設ける。スライドレール２４０の内部には、第１のスライドブロック２４１をスライド可能に配置することができる。第１の調整ロッド１１０の２つの端部は、夫々、１つのスライドブロック２４１に回転可能に接続される。第１の調整ロッド１１０の、支持梁２００の各々に対する角度が、プリセット値に達したとき、第１の調整ロッド１１０の２つの端部を、夫々、対応するスライドブロック２４１に固定することができる。
【００３４】
第１のスライドブロック２４１は、Ｔ形ボルトであってもよい。第１の調整ロッド１１０はこのＴ形ボルトに回転可能に接続することができる。具体的に、第１の調整ロッド１１０は、Ｌ形接続プレート１１１を介してＴ形ボルトに回転可能に接続することができる。Ｔ形ボルトを挿通することができるネジ穴を、Ｌ形接続プレート１１１の第１端部に形成してもよい。更に、Ｌ形接続プレート１１１の第２端部は、第１の調整ロッド１１０へ回転可能に接続することができる。例えば、第１の調整ロッド１１０へ接続する第１の接続穴を、Ｌ形接続プレート１１１の第２端部に設けると共に、第２の接続穴を第１の調整ロッド１１０に設け、これら２つの接続穴に順番にボルトを通過させることで、Ｌ形接続プレート１１１と第１の調整ロッド１１０を回転可能に接続することができる。
【００３５】
本実施形態において、スライドレール２４０内にスライド可能にＴ形ボルトを配置することにより、２つの調整ロッド１１０の各端部を、対応する支持梁２００でスライド移動させると共に、Ｌ形接続プレート１１１を介して、支持梁２００に対して回転させることによって、２つの支持梁２００間の間隔及び／又は角度を調整することができる。２つの第１の調整ロッド１１０の各端部が所定位置へ移動されたとき、すなわち、２つの第１の調整ロッド１１０の各々の、２つの支持梁２００の各々に対する角度がナットの締め付けによって、プリセット値に達したときに、Ｌ形接続プレート１１１及びＴ形ボルトを、２つの支持梁２００へ固定することができ、更に、Ｌ形接続プレート１１１を第１の調整ロッド１１０へ固定することで、２つの第１の調整ロッド１１０を２つの支持梁２００へ固定することができる。本実施形態では、装置の構成は、構造が簡単で、操作が便利で、そして使用の信頼度が高く、加えて、如何なる専用の付属品を用いず、一般的なボルト及びナットを使用することにより、構成を実現することができる。
【００３６】
更に、第１の調整ロッド１１０の端部を便利に配置するように、支持梁２００に位置決め目盛を刻み込むことにより、２つの支持梁２００間の間隔を正確に決定することが便利である。
【００３７】
ある実施形態では、図３及び図４を参照すると、調整機構１００は第２の調整ロッド１２０を含んでいる。第２の調整ロッド１２０は１つ或いはこれより多く配置してもよい。ある実施形態では、互いに平行する２つの第２の調整ロッド１２０を配置することができる。例えば、２つの第２の調整ロッド１２０は、互いに平行し、この時、第２の調整ロッド１２０の各々の各端部は、２つの支持梁２００と直交する。第２の調整ロッド１２０の２つの端部は、夫々、移動可能に２つの支持梁２００へ接続される。第２の調整ロッド１２０の長さは、調整できる。２つの第２の調整ロッド１２０の長さを変える過程において、２つの支持梁２００間の間隔も変えることができる。本実施形態では、２つの支持梁２００間の間隔は、第２の調整ロッド１２０の長さ調整により調整され、かつ、第２の調整ロッド１２０が、２つの支持梁２００の夫々へ移動可能に接続されるため、２つの支持梁２００間の角度も、便利に調整することができる。
【００３８】
図３及び図４を参照すると、ある実施形態では、第２の調整ロッド１２０は、固定スリーブ１２１及び可動ロッド１２２を含んでいる。固定スリーブ１２１の第１の端部は、１つの支持梁２００へ回転可能に接続する。固定スリーブ１２１の第２の端部は、可動ロッド１２２の第１の端部へ被せる。可動ロッド１２２の第２の端部は、別の１つの支持梁２００へ回転可能に接続することができる。固定スリーブ１２１から可動ロッド１２２をプリセットされた長さに延ばした状態で、可動ロッド１２２は固定スリーブ１２１へ固定することができ、これによって、２つの支持梁２００間の間隔を便利に調整することができる。２つの支持梁２００間の角度がプリセット値に達したときに、固定スリーブ１２１及び可動ロッド１２２は支持梁２００へ固定され、これにより、ニーズに応じて２つの支持梁２００はプリセット角度を呈する。更に、可動ロッド１２２が固定スリーブ１２１から延びる長さを視認できるように、可動ロッド１２２に位置決め目盛を刻み込んでもよく、よって、２つの支持梁２００間の間隔を正確に決定することが便利になる。
【００３９】
本開示において、支持梁２００と調整機構１００の調整ロッドとは、全て、アルミニウム合金材料により作ることができる。支持梁２００における、スライド溝２１０、スライドレール２４０及び取付溝２３０の具体的な位置は、図５で参照することができる。スライド溝２１０は、支持梁２００の上面に設けることができる。又、２つの支持梁２００の、２つのスライド溝２１０の開口部は、互いに対向して配置される。スライドレール２４０は、支持梁２００の側面の中間部分に設けることができる。又、２つの支持梁２００上の２つのスライドレール２４０は、互いに対向して配置される。取付溝２３０は、支持梁２００の下面に設けることができる。又、取付溝２３０は、下向きの開口部を有する。
【００４０】
本開示における取付装置００１は、現地での組み立て及びキャリブレーション無しで設置できるように、設置される太陽光発電モジュール３００と取付面４００とに応じて、リアルタイムに調整することができ、これによって、設置の効率及び利便性が大幅に向上される。取付装置００１は、シンプルな構造を有しており、軽量のアルミニウム材料で作ることができ、少量の接続部材を使用し、総重量が軽く、そして、荷重負荷に高い要求を有する軽量鋼製の傾斜屋根を使用した屋根への設置に適する。
【００４１】
本開示は、太陽光発電モジュール３００と取付装置００１とを含む、太陽光発電モジュールアセンブリ００２を提供する。太陽光発電モジュール３００は、２つの支持梁２００の間に設置される。本実施形態において、太陽光発電モジュール３００と取付装置００１とは、工場での製造工程において直接組み合わせることができ、これによって、現地での取り付け及び調整を回避することができる。設置要員は、現地に応じて太陽光発電モジュールアセンブリ００２を取り付けることができ、これによって、設置作業はより簡素化され、設置効率が向上される。
【００４２】
図８を参照すると、実施形態において、太陽光発電モジュールアセンブリ００２の概略図を示す。実施形態において、太陽光発電モジュールアセンブリ００２は、複数の太陽光発電モジュール３００と、整列配置された複数の取付装置００１とを含んでいてもよい。太陽光発電モジュール３００の各々は、２つの隣接する支持梁２００間に設置することができる。
【００４３】
ある実施形態において、太陽光発電モジュールアセンブリ００２は、複数の太陽光発電モジュール３００と、これら複数の太陽光発電モジュール３００を取り付ける、複数の支持梁２００とを含んでいてもよい。同じ大きさを有する複数の太陽光発電モジュール３００を整列して配置できるように、各行及び各列に配置された取付装置００１の数量及び大きさは、同じであってよい。２つの隣接する支持梁２００間の間隔及び角度を調整する調整機構１００を、各々の列において、複数の太陽光発電モジュール３００における２つの隣接する支持梁２００毎に備えることができる。太陽光発電モジュールアセンブリ００２の外側に配置された２つの支持梁２００を除き、その中間にある支持梁２００の各々は、対称的になるように設計することができる。図５を参照すると、中間において、各々の支持梁２００の上面に２つのスライド溝２１０を後ろ合わせて設ける。そのような中間において、２つのスライドレール２４０は、夫々、各支持梁２００の中間部の２つの側面に設けられている。そのような中間において、各支持梁２００の下方の取付溝２３０は、１つの取付溝２３０に統合することができる。本開示の太陽光発電モジュールアセンブリ００２は、よりコンパクトで単純な全体構造、高い適用性、及び、高い設置効率を有する。
【００４４】
ある実施形態では、大きさが異なる複数の太陽光発電モジュール３００を、整列配置された複数の取付装置００１に取り付けることができる。具体的に、組み合わされた行や列に配置された取付装置００１の数量及び大きさは、同じであってもよい。具体的な技術的要求に合わせて、複数の取付装置００１の特定の構成を配置することができる。
【００４５】
ここでの第１及び第２といった関係用語が、実態や機能を他の実体や機能から差別化するために使用されており、それらの実体や機能間の如何なる実際の関係性や順序を、要求又は示唆するものではないことは、留意すべきである。更に、「含む（include）」、「構成する（comprise）」という用語、及びこれらのあらゆる変化形は、非排他的な包含をカバーするように意図されている。従って、一連の要素を含む、工程、方法、物体、又は装置は、そのような要素を含むだけでなく、明白に明示されていない他の要素も含んでおり、或いは、工程、方法、物体、又は装置の、特有の要素を更に含んでいてもよい。それ以上の限定が為されない場合、「〜を含む」で限定される要素は、その要素を含む工程、方法、物体、又は装置に存在する、他の同じ要素を除外するものではない。
【００４６】
本開示の実施形態の各々は、進行的な方法で説明されている。何れの実施形態も、他の実施形態と異なる部分を強調して示している。それらの実施形態において同じ又は類似した部分は、適切な相互参照になっている。
【００４７】
実施形態で開示された上記の説明は、当業者に本開示の実行や使用を許容する。それらの実施形態に対する多様な変更は、当業者にとって明白である。本明細書で規定される全般的な原理は、本開示の範囲から逸脱することなく、他の実施形態で実行することができる。従って、本開示は、本明細書で言及された実施形態に限定されるものではなく、本明細書に開示された原理及び新規性に従った最大限の範囲に拡張されるものである。
【符号の説明】
【００４８】
００１：取付装置、００２：太陽光発電モジュールアセンブリ、１００：調整機構、１１０：第１の調整ロッド、１２０：第２の調整ロッド、１２１：固定スリーブ、１２２：可動ロッド、２００：支持梁、２１０：スライド溝、２２０：制限構造、２２１：制限ヘッド、２２２：固定ボルト、２３０：取付溝、２３１：第２のスライドブロック、２４０：スライドレール、２４１：第１のスライドブロック、３００：太陽光発電モジュール、４００：取付面、４１０：チャック、５００：取付構造、５１０：取付具、５２０：接続部
【図１】
2019193553.tif 000003
【図２】
2019193553.tif 000004
【図３】
2019193553.tif 000005
【図４】
2019193553.tif 000006
【図５】
2019193553.tif 000007
【図６】
2019193553.tif 000008
【図７】
2019193553.tif 000009
【図８】
2019193553.tif 000010